【手続補正書】
【提出日】平成23年5月26日(2011.5.26)
【手続補正１】
【補正対象書類名】特許請求の範囲
【補正対象項目名】全文
【補正方法】変更
【補正の内容】
【特許請求の範囲】
【請求項１】
フレームの第１の対象ブロックの動きベクトルの予測値を生成する予測動きベクトル生成部と、
前記予測動きベクトル生成部により生成された前記動きベクトルの予測値の周辺の所定の探索範囲において、前記第１の対象ブロックの動きベクトルを、前記第１の対象ブロックに対して所定の位置関係で隣接するとともに復号画像から生成される第１のテンプレートを利用して探索する第１の動き予測補償部と
を備える画像処理装置。
【請求項２】
前記予測動きベクトル生成部は、符号化済みのブロックであって、前記第１の対象ブロックに隣接するブロックである隣接ブロックに対する動きベクトルの情報を用いて、前記第１の対象ブロックの前記動きベクトルの予測値を生成する
請求項１に記載の画像処理装置。
【請求項３】
前記予測動きベクトル生成部は、前記隣接ブロックに対して前記フレーム内で探索された前記動きベクトルの情報を用いて、前記第１の対象ブロックの前記動きベクトルの予測値を生成する
請求項２に記載の画像処理装置。
【請求項４】
前記予測動きベクトル生成部は、前記隣接ブロックに対して前記フレーム内で探索された前記動きベクトルの情報がない場合、前記隣接ブロックに対する前記動きベクトルの情報を０として、前記第１の対象ブロックの前記動きベクトルの予測値を生成する
請求項３に記載の画像処理装置。
【請求項５】
前記予測動きベクトル生成部は、前記隣接ブロックに対して前記フレーム内で探索された前記動きベクトルの情報がない場合、前記隣接ブロックに対して前記フレームと異なる符号化済みフレームを参照して探索された動きベクトルの情報を用いて、前記第１の対象ブロックの前記動きベクトルの予測値を生成する
請求項３に記載の画像処理装置。
【請求項６】
前記予測動きベクトル生成部は、前記符号化済みフレームの情報が所定の値より大きい場合、前記隣接ブロックに対して前記符号化済みフレームを参照して探索された前記動きベクトルの情報を用いることを禁止する
請求項５に記載の画像処理装置。
【請求項７】
前記第１の動き予測補償部は、前記隣接ブロックに対して前記フレーム内で探索された前記動きベクトルの情報がない場合、前記隣接ブロックの動きベクトルを、前記隣接ブロックに対して所定の位置関係で隣接するとともに前記復号画像から生成される第２のテンプレートを利用して探索し、
前記予測動きベクトル生成部は、前記第１の動き予測補償部により探索された前記隣接ブロックに対する前記動きベクトルの情報を用いて、前記第１の対象ブロックの動きベクトルの予測値を生成する
請求項３に記載の画像処理装置。
【請求項８】
前記フレームの第２の対象ブロックの画素値を、前記フレーム内の前記復号画像から予測するイントラ予測部
をさらに備える
請求項３に記載の画像処理装置。
【請求項９】
前記予測動きベクトル生成部は、前記隣接ブロックに対して前記フレームと異なる符号化済みフレームを参照して探索された前記動きベクトルの情報を用いて、前記第１の対象ブロックの前記動きベクトルの予測値を生成する
請求項２に記載の画像処理装置。
【請求項１０】
前記予測動きベクトル生成部は、前記隣接ブロックに対して前記符号化済みフレームを参照して探索された前記動きベクトルの情報がない場合、前記隣接ブロックに対する前記動きベクトルの情報を０として、前記第１の対象ブロックの動きベクトルの予測値を生成する
請求項９に記載の画像処理装置。
【請求項１１】
前記予測動きベクトル生成部は、前記隣接ブロックに対して前記符号化済みフレームを参照して探索された前記動きベクトルの情報がない場合、前記隣接ブロックに対して前記フレーム内で探索された動きベクトルの情報を用いて、前記第１の対象ブロックの動きベクトルの予測値を生成する
請求項９に記載の画像処理装置。
【請求項１２】
前記第１の動き予測補償部は、前記隣接ブロックに対して前記符号化済みフレームを参照して探索された前記動きベクトルの情報がない場合、前記隣接ブロックの動きベクトルを、前記隣接ブロックに対して所定の位置関係で隣接するとともに前記復号画像から生成される第２のテンプレートを利用して探索し、
前記予測動きベクトル生成部は、前記第１の動き予測部により探索された前記隣接ブロックに対する前記動きベクトルの情報を用いて、前記第１の対象ブロックの動きベクトルの予測値を生成する
請求項９に記載の画像処理装置。
【請求項１３】
符号化された動きベクトルの情報を復号する復号部と、
前記復号部により復号された前記フレームの第２の対象ブロックの動きベクトルを用いて予測画像を生成する第２の動き予測補償部とをさらに備える
請求項９に記載の画像処理装置。
【請求項１４】
前記予測動きベクトル生成部は、符号化済みのブロックであって、前記第１の対象ブロックに隣接するブロックである隣接ブロックに対する動きベクトルの情報、前記フレームと異なる符号化済みフレームのブロックであって、前記第１の対象ブロックに対応する位置のブロックである対応ブロックと前記対応ブロックに隣接するブロックに対する動きベクトルの情報、または、前記対応ブロックと前記隣接ブロックに対する動きベクトルの情報を用いて、前記第１の対象ブロックの前記動きベクトルの予測値を生成する
請求項１に記載の画像処理装置。
【請求項１５】
前記予測動きベクトル生成部は、前記隣接ブロックに対して前記符号化済みフレームを参照して探索された前記動きベクトルの情報がない場合、前記隣接ブロックに対する動きベクトルの情報を０として、前記第１の対象ブロックの動きベクトルの予測値を生成する
請求項１４に記載の画像処理装置。
【請求項１６】
前記予測動きベクトル生成部は、前記隣接ブロックに対して前記符号化済みフレームを参照して探索された前記動きベクトルの情報がない場合、前記隣接ブロックに対して前記フレーム内で探索された動きベクトルの情報を用いて、前記第１の対象ブロックの動きベクトルの予測値を生成する
請求項１４に記載の画像処理装置。
【請求項１７】
前記第１の動き予測補償部は、前記隣接ブロックに対して前記符号化済みフレームを参照して探索された前記動きベクトルの情報がない場合、前記隣接ブロックの動きベクトルを、前記隣接ブロックに対して所定の位置関係で隣接するとともに前記復号画像から生成される第２のテンプレートを利用して探索し、
前記予測動きベクトル生成部は、前記第１の動き予測補償部により探索された前記隣接ブロックに対する前記動きベクトルの情報を用いて、前記第１の対象ブロックの動きベクトルの予測値を生成する
請求項１４に記載の画像処理装置。
【請求項１８】
符号化された動きベクトルの情報を復号する復号部と、
前記復号部により復号された前記フレームの第２の対象ブロックの動きベクトルを用いて予測画像を生成する第２の動き予測補償部とをさらに備える
請求項１４に記載の画像処理装置。
【請求項１９】
画像処理装置が、
フレームの対象ブロックの動きベクトルの予測値を生成し、
生成された前記動きベクトルの予測値の周辺の所定の探索範囲において、前記対象ブロックの動きベクトルを、前記対象ブロックに対して所定の位置関係で隣接するとともに復号画像から生成されるテンプレートを利用して探索する
ステップを含む画像処理方法。
【請求項２０】
フレームの対象ブロックの動きベクトルの予測値を生成し、
生成された前記動きベクトルの予測値の周辺の所定の探索範囲において、前記対象ブロックの動きベクトルを、前記対象ブロックに対して所定の位置関係で隣接するとともに復号画像から生成されるテンプレートを利用して探索する
ステップを含む処理をコンピュータに実行させて、画像処理装置として機能させるためのプログラム。
【請求項２１】
フレームの対象ブロックの動きベクトルの予測値を生成し、
生成された前記動きベクトルの予測値の周辺の所定の探索範囲において、前記対象ブロックの動きベクトルを、前記対象ブロックに対して所定の位置関係で隣接するとともに復号画像から生成されるテンプレートを利用して探索する
ステップを含む処理をコンピュータに実行させて、画像処理装置として機能させるためのプログラムが記録されている記録媒体。
【手続補正２】
【補正対象書類名】明細書
【補正対象項目名】発明の名称
【補正方法】変更
【補正の内容】
【発明の名称】画像処理装置および方法、プログラム、並びに記録媒体
【手続補正３】
【補正対象書類名】明細書
【補正対象項目名】０００１
【補正方法】変更
【補正の内容】
【０００１】
本発明は画像処理装置および方法、プログラム、並びに記録媒体に関し、特に、演算量を増大させることなく、圧縮効率の低下を抑制するようにした画像処理装置および方法、プログラム、並びに記録媒体に関する。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】変更
【補正の内容】
【００３２】
本発明の一側面の画像処理装置は、フレームの第１の対象ブロックの動きベクトルの予測値を生成する予測動きベクトル生成部と、前記予測動きベクトル生成部により生成された前記動きベクトルの予測値の周辺の所定の探索範囲において、前記第１の対象ブロックの動きベクトルを、前記第１の対象ブロックに対して所定の位置関係で隣接するとともに復号画像から生成される第１のテンプレートを利用して探索する第１の動き予測補償部とを備える。
【手続補正２５】
【補正対象書類名】明細書
【補正対象項目名】００３５
【補正方法】変更
【補正の内容】
【００３５】
前記予測動きベクトル生成部は、前記隣接ブロックに対して前記フレーム内で探索された前記動きベクトルの情報がない場合、前記隣接ブロックに対する前記動きベクトルの情報を０として、前記第１の対象ブロックの前記動きベクトルの予測値を生成することができる。
【手続補正２６】
【補正対象書類名】明細書
【補正対象項目名】００３６
【補正方法】変更
【補正の内容】
【００３６】
前記予測動きベクトル生成部は、前記隣接ブロックに対して前記フレーム内で探索された前記動きベクトルの情報がない場合、前記隣接ブロックに対して前記フレームと異なる符号化済みフレームを参照して探索された動きベクトルの情報を用いて、前記第１の対象ブロックの前記動きベクトルの予測値を生成することができる。
【手続補正２７】
【補正対象書類名】明細書
【補正対象項目名】００３７
【補正方法】変更
【補正の内容】
【００３７】
前記予測動きベクトル生成部は、前記符号化済みフレームの情報が所定の値より大きい場合、前記隣接ブロックに対して前記符号化済みフレームを参照して探索された前記動きベクトルの情報を用いることを禁止することができる。
【手続補正２８】
【補正対象書類名】明細書
【補正対象項目名】００３８
【補正方法】変更
【補正の内容】
【００３８】
前記第１の動き予測補償部は、前記隣接ブロックに対して前記フレーム内で探索された前記動きベクトルの情報がない場合、前記隣接ブロックの動きベクトルを、前記隣接ブロックに対して所定の位置関係で隣接するとともに前記復号画像から生成される第２のテンプレートを利用して探索し、前記予測動きベクトル生成部は、前記第１の動き予測補償部により探索された前記隣接ブロックに対する前記動きベクトルの情報を用いて、前記第１の対象ブロックの動きベクトルの予測値を生成することができる。
【手続補正２９】
【補正対象書類名】明細書
【補正対象項目名】００４１
【補正方法】変更
【補正の内容】
【００４１】
前記予測動きベクトル生成部は、前記隣接ブロックに対して前記符号化済みフレームを参照して探索された前記動きベクトルの情報がない場合、前記隣接ブロックに対する前記動きベクトルの情報を０として、前記第１の対象ブロックの動きベクトルの予測値を生成することができる。
【手続補正３０】
【補正対象書類名】明細書
【補正対象項目名】００４２
【補正方法】変更
【補正の内容】
【００４２】
前記予測動きベクトル生成部は、前記隣接ブロックに対して前記符号化済みフレームを参照して探索された前記動きベクトルの情報がない場合、前記隣接ブロックに対して前記フレーム内で探索された動きベクトルの情報を用いて、前記第１の対象ブロックの動きベクトルの予測値を生成することができる。
【手続補正３１】
【補正対象書類名】明細書
【補正対象項目名】００４３
【補正方法】変更
【補正の内容】
【００４３】
前記第１の動き予測補償部は、前記隣接ブロックに対して前記符号化済みフレームを参照して探索された前記動きベクトルの情報がない場合、前記隣接ブロックの動きベクトルを、前記隣接ブロックに対して所定の位置関係で隣接するとともに前記復号画像から生成される第２のテンプレートを利用して探索し、前記予測動きベクトル生成部は、前記第１の動き予測部により探索された前記隣接ブロックに対する前記動きベクトルの情報を用いて、前記第１の対象ブロックの動きベクトルの予測値を生成することができる。
【手続補正３２】
【補正対象書類名】明細書
【補正対象項目名】００４６
【補正方法】変更
【補正の内容】
【００４６】
前記予測動きベクトル生成部は、前記隣接ブロックに対して前記符号化済みフレームを参照して探索された前記動きベクトルの情報がない場合、前記隣接ブロックに対する動きベクトルの情報を０として、前記第１の対象ブロックの動きベクトルの予測値を生成することができる。
【手続補正３３】
【補正対象書類名】明細書
【補正対象項目名】００４７
【補正方法】変更
【補正の内容】
【００４７】
前記予測動きベクトル生成部は、前記隣接ブロックに対して前記符号化済みフレームを参照して探索された前記動きベクトルの情報がない場合、前記隣接ブロックに対して前記フレーム内で探索された動きベクトルの情報を用いて、前記第１の対象ブロックの動きベクトルの予測値を生成することができる。
【手続補正３４】
【補正対象書類名】明細書
【補正対象項目名】００４８
【補正方法】変更
【補正の内容】
【００４８】
前記第１の動き予測補償部は、前記隣接ブロックに対して前記符号化済みフレームを参照して探索された前記動きベクトルの情報がない場合、前記隣接ブロックの動きベクトルを、前記隣接ブロックに対して所定の位置関係で隣接するとともに前記復号画像から生成される第２のテンプレートを利用して探索し、前記予測動きベクトル生成部は、前記第１の動き予測補償部により探索された前記隣接ブロックに対する前記動きベクトルの情報を用いて、前記第１の対象ブロックの動きベクトルの予測値を生成することができる。
【手続補正３５】
【補正対象書類名】明細書
【補正対象項目名】００５０
【補正方法】変更
【補正の内容】
【００５０】
本発明の一側面の画像処理方法は、画像処理装置が、フレームの対象ブロックの動きベクトルの予測値を生成し、生成された前記動きベクトルの予測値の周辺の所定の探索範囲において、前記対象ブロックの動きベクトルを、前記対象ブロックに対して所定の位置関係で隣接するとともに復号画像から生成されるテンプレートを利用して探索するステップを含む。
【手続補正３６】
【補正対象書類名】明細書
【補正対象項目名】００５１
【補正方法】変更
【補正の内容】
【００５１】
本発明の一側面のプログラムは、フレームの対象ブロックの動きベクトルの予測値を生成し、生成された前記動きベクトルの予測値の周辺の所定の探索範囲において、前記対象ブロックの動きベクトルを、前記対象ブロックに対して所定の位置関係で隣接するとともに復号画像から生成されるテンプレートを利用して探索するステップを含む処理をコンピュータに実行させて、画像処理装置として機能させる。
【手続補正３７】
【補正対象書類名】明細書
【補正対象項目名】００５２
【補正方法】変更
【補正の内容】
【００５２】
本発明の一側面の記録媒体に記録されているプログラムは、フレームの対象ブロックの動きベクトルの予測値を生成し、生成された前記動きベクトルの予測値の周辺の所定の探索範囲において、前記対象ブロックの動きベクトルを、前記対象ブロックに対して所定の位置関係で隣接するとともに復号画像から生成されるテンプレートを利用して探索するステップを含む処理をコンピュータに実行させて、画像処理装置として機能させる。
【手続補正３８】
【補正対象書類名】明細書
【補正対象項目名】００５３
【補正方法】変更
【補正の内容】
【００５３】
本発明の一側面においては、フレームの対象ブロックの動きベクトルの予測値が生成され、生成された前記動きベクトルの予測値の周辺の所定の探索範囲において、前記対象ブロックの動きベクトルが、前記対象ブロックに対して所定の位置関係で隣接するとともに復号画像から生成されるテンプレートを利用して探索される。
【手続補正３９】
【補正対象書類名】明細書
【補正対象項目名】００５４
【補正方法】変更
【補正の内容】
【００５４】
以上のように、本発明の一側面によれば、画像を符号化することができる。画像を復号することができる。また、本発明の一側面によれば、演算量を増大させることなく、圧縮効率の低下を抑制することができる。
【手続補正４０】
【補正対象書類名】明細書
【補正対象項目名】００５５
【補正方法】削除
【補正の内容】